(57)【要約】      （修正有）【課題】交通機関を利用した年齢に合わせ、適正な運賃を徴収することが可能な運賃処理装置の提供。【解決手段】運賃処理装置は、同一区間であっても年齢によって異なる運賃が複数設けられた年齢別運賃３６に応じて運賃を精算する運賃処理装置において、交通手段の利用を可能にする有価価値を情報とした有価価値データ３７と共に前記複数の年齢別運賃３６のうち異なる前記年齢別運賃に切り替えられる日付を示す情報としての日付データ３５，３８とが記憶された記憶媒体３０の情報を読み取る読取手段１０と、当該運賃処理装置の日付情報７と前記日付データ３５，３８とを比較する比較手段と、当該比較手段によって、何れか一つの前記年齢別運賃３６を選定し前記有価価値データ３７から運賃を清算処理する運賃精算手段と、を備える。【選択図】 図３
2006301942.tif 000002
【特許請求の範囲】
【請求項１】
同一区間であっても年齢によって異なる運賃が複数設けられた年齢別運賃に応じて運賃を精算する運賃処理装置において、
交通手段の利用を可能にする有価価値を情報とした有価価値データと共に前記複数の年齢別運賃のうち異なる年齢別運賃に切り替えられる日付を示す情報としての日付データが記憶された記憶媒体の情報を読み取る読取手段と、
当該運賃処理装置の日付情報と前記日付データとを比較する比較手段と、
当該比較手段によって、何れか一つの前記年齢別運賃を選定し前記有価価値データから運賃を清算処理する運賃精算手段と、
を備えたことを特徴とする運賃処理装置。
【請求項２】
前記比較手段が前記記憶媒体に記憶された前記年齢別運賃と、乗車日に利用した前記年齢別運賃とが異なると判断した場合には、前記記憶媒体に記憶される前記年齢別運賃を、乗車日に利用した際の年齢に合わせた前記年齢別運賃に書き換える書換手段が設けられていることを特徴とする請求項１記載の運賃処理装置。
【発明の詳細な説明】
【技術分野】
【０００１】
本発明は、鉄道やバス等で乗客が利用する運賃を、ＩＣカード等の記憶媒体に記憶された情報に基づき精算処理するための運賃処理装置に関するものである。
【背景技術】
【０００２】
従来から鉄道、バス等を含む交通機関では、同一区間であっても、大人に比べ子供や老人は運賃が割安となっており、運賃の種別にはある定められた年齢により子供用運賃、大人用運賃、敬老用運賃等とが区別され設けられていた。
そして、切符を購入する場合には、券売機によって、これら区別された運賃を任意に選択して購入していた。（例えば、特許文献１）
【０００３】
また、最近では、予め一定の有価価値を記憶したカード（プリペイドカード）を購入し、そのカードから交通機関を利用した分の有価価値を減じて処理するものがあり、割引等のサービスが付加されているので、多く普及してきている。
そして、プリペイドカードの場合には、これら運賃の種別に合わせたプリペイドカードを買う必要があり、例えば、子供用、大人用、敬老用のプリペイドカードがある。
【０００４】
【特許文献１】特開２００２−１０９５７５号公報
【発明の開示】
【発明が解決しようとする課題】
【０００５】
しかしながら、これら従来の運賃処理装置は、プリペイドカードで運賃を支払う際、利用者が子供の場合には、一定の年齢を経過すると大人用の運賃を徴収しなければならないが、子供の時に買ったプリペイドカードは、利用者が大人運賃であったとしても、カード自体の種別により判断しているため、子供の運賃で処理されてしまう。
【０００６】
また、逆に利用者が高齢者の場合には、実際の年齢は、敬老運賃の年齢であったとしても、カード自体の種別により判断しているため、通常運賃で処理されてしまい、敬老による割引を受けられないという不都合が発生していた。
【０００７】
そこで、本発明は、上述した問題に鑑みなされたものであり、その目的は、実際に交通機関を利用した時点での年齢に合わせ適正な運賃を徴収することが可能な運賃処理装置を提供することにある。
【課題を解決するための手段】
【０００８】
上記課題を解決するために、請求項１記載の運賃処理装置（１）は、同一区間であっても年齢によって異なる運賃が複数設けられた年齢別運賃（３６）に応じて運賃を精算する運賃処理装置（１）において、交通手段の利用を可能にする有価価値を情報とした有価価値データ（３７）と共に前記複数の年齢別運賃（３６）のうち異なる前記年齢別運賃（３６）に切り替えられる日付を示す情報としての日付データ（３５，３８）とが記憶された記憶媒体（３０）の情報を読み取る読取手段（１０）と、当該運賃処理装置（１）の日付情報（７）と前記日付データ（３５，３８）とを比較する比較手段（Ｓ１２，Ｓ２２）と、当該比較手段（Ｓ１２，Ｓ２２）によって、何れか一つの前記年齢別運賃（３６）を選定し前記有価価値データ（３７）から運賃を清算処理する運賃精算手段（Ｓ７，Ｓ８，Ｓ９）と、を備えたことを特徴とする。
【０００９】
請求項２記載の運賃処理装置（１）は、前記比較手段（Ｓ１２，Ｓ２２）が前記記憶媒体（３０）に記憶された前記年齢別運賃（３６）と、乗車日に利用した前記年齢別運賃（３６）とが異なると判断した場合には、前記記憶媒体（３０）に記憶される前記年齢別運賃（３６）を、乗車日に利用した際の年齢に合わせた前記年齢別運賃（３６）に書き換える書換手段（Ｓ１３，Ｓ２３）が設けられていることを特徴とする。
【発明の効果】
【００１０】
請求項１記載の運賃処理装置は、運賃処理時に乗客が利用する乗車日と年齢別運賃に切り替えられる日とを比較して運賃を演算し、その演算された運賃を有価価値カードから徴収するので、利用時点での年齢に見合った適正な運賃を徴収することができる。
【００１１】
請求項２記載の運賃処理装置は、請求項１記載の効果に加え、記憶された年齢別運賃と利用時の年齢別運賃とが異る場合には、運賃処理装置が、運賃処理時に自動で判断して記憶媒体に記憶された年齢別運賃を書き換えるため、カード発行所まで出向く必要がなく、適正な券種の情報を簡単に書き換えることができる。
【発明を実施するための最良の形態】
【００１２】
図１乃至図２に基づいて運賃処理装置１のシステム構成について説明する。
運賃処理装置１は、運行処理装置１０と総合管理システム装置２０とによって構成されており、図１に示される運行処理装置１０は、バスに搭載されているシステム構成の一例であり、図２に示される総合管理システム装置２０は、バス運行会社の営業所等に設置されるシステム構成の一例である。
【００１３】
以下、図１に基づきバスの運行に利用される運行処理装置１０を説明する。
運行処理装置１０は、乗客が停留所から乗り込んだ際、有価価値の情報が記載された非接触ＩＣカード３０の情報を記憶処理する乗車側カード処理装置２と、乗客が降りる際に、乗車側カード処理装置２に提示された非接触ＩＣカード３０のデータに基づいて運賃を精算処理する降車側カード処理装置３とで構成されている。
【００１４】
乗車側カード処理装置２は、非接触ＩＣカード（磁気カード等）３０に対して読み書き可能なカードリーダライタ１１ａと接続された乗車側処理部４が設けられている。この乗車側処理部４は、降車側カード処理装置３の記憶部６と接続されており、カードリーダライタ１１ａから得られたデータを降車側カード処理装置３の記憶部６に送信している。
【００１５】
降車側カード処理装置３は、上述したカードを読み書き可能なカードリーダライタ１１ｂと運賃処理の結果を表示する液晶モニタ８と、降車側処理部５とで構成されている。降車側処理部５は、液晶モニタ９やカードリーダライタ１１ｂ等を操作処理するＣＰＵが内蔵されており、ＣＰＵとバス接続された記憶部６やカレンダー機能部７も備えている。
【００１６】
カレンダー機能部７は、内蔵された時計によって年月、日時をデータとして出力できるカレンダー機能を持っている。
降車側処理部５は、メモリカードリッジ８に記憶されたデータと記憶部６のデータとの授受を行うことができるようメモリカードリッジ８と接続することができる構造となっている。
【００１７】
記憶部６には、メモリーカードリッジ８に記憶されている運行に必要なデータ、乗車側カード処理装置２から送られた非接触ＩＣカード３０の記憶されているデータ、運賃を精算処理されたデータ等が蓄積されている。
【００１８】
以下、図２に示す総合管理システム装置２０について説明する。
総合管理システム装置２０は、カード発行機１３と、データを統合管理する社内サーバ１６とで構成されている。
【００１９】
カード発行機１３は、情報入力手段としてカード購入時に氏名、生年月日、年齢、住所、有価価値の金額等の情報をキーボードやペン入力により入力することができるカード発行入力部１５が設けられている。また、カード発行入力部１５と接続されたカード発行処理部１４は、社内サーバ１６とデータの授受ができるよう接続されている。
【００２０】
カード発行処理部１４は、カード発行入力部１５で得られたデータを社内サーバ１６の顧客管理データベース１７に記憶すると共に、得られたデータを基に演算処理し非接触ＩＣカード（プリペイドカード）３０を発行する機能を有している。
【００２１】
社内サーバ１６は、顧客管理データベース１７と、運賃管理データベース１８と、運行管理データベース１９とで構成されており、データベース間は連結されており、データを互いに共有することができる。
【００２２】
顧客管理データベース１７には、顧客に対する情報として、氏名、住所、年齢、生年月日、利用期間等のデータが格納されている。
運賃管理データベース１８には、全区間の運賃を計算するための基本データとなる運賃区間コードデータ、運賃区間に対応し運賃を換算するための運賃データ等のデータが格納されている。
【００２３】
運行管理データベース１９には、運行に関するデータとして、バスの路線番号示す系統データ、停留所をコードで示す停留所コードデータ、乗り継ぎする系統をコードで示す乗り継ぎコードデータ、系統別及び出発時間毎に区別された運行をコードで示す運行コードデータ等のデータが格納されている。
【００２４】
非接触ＩＣカード３０は、データの読み書きができる構造の記憶媒体となっている。図３に基づいて非接触ＩＣカード３０に記憶されるデータの内容を説明すると、非接触ＩＣカード３０に記憶されるデータの記憶領域には、個人情報記憶領域３１と、券種データ記憶領域３２と、有価価値情報記憶領域３３とが設けられている。
【００２５】
個人情報記憶領域３１には、個人ＩＤデータ３４と、敬老開始日データ３５と大人開始日データ３８とで構成され、各データが記憶領域に格納されている。
【００２６】
個人ＩＤデータ３４は、数字によって個人を識別するためのＩＤ（例えば、図３の「１０００１１」「１００１１１」である。）が設けられ、全ての情報の管理は、この個人ＩＤデータ３４に基づいて管理がなされている。
【００２７】
敬老開始日データ３５には、敬老運賃となる開始日が日付データとしてカード発行機１３により付与され格納されている。例えば、図３（ａ）では、敬老開始日として平成１７年１月８日から開始されることを示すデータが格納されている。また、図３（ｂ）では、敬老開始日として平成７１年６月１５日から開始されることを示すデータが格納されている。大人開始日として平成１８年６月１５日から開始されることを示すデータが格納されている。
【００２８】
また、大人開始日データ３８には、大人運賃が開始される開始日が、日付データとしてカード発行機１３により付与され格納されている。例えば、図３（ｂ）では、大人開始日として平成１８年６月１５日から開始されることを示している。
【００２９】
券種データ記憶領域３２には、運賃の種別を表す情報として券種データ３６が格納され、敬老カード、通常カード、小児カードの３種類の券種がある。例えば、図３（ａ）では、券種データ３６は、敬老カードを示すデータが格納され、図３（ｂ）では、小児カードを示すデータが格納されている。
【００３０】
有価価値情報記憶領域３３には、この非接触ＩＣカード３０を購入した際や、積み増し機等により金銭を積み増しした際に、交通機関を利用可能な価値（例えば、図３（ａ）では２０００円分の価値、図３（ｂ）では１８００円分の価値）のデータが、有価価値データ３７として格納されている。
【００３１】
（非接触ＩＣカードを購入する際の処理）
以下に、乗客が非接触ＩＣカード３０を購入する際における非接触ＩＣカード３０の発行処理を示す。  
【００３２】
乗客は、希望する金額分に相当する有価価値が納められた非接触ＩＣカード３０をカード発行処理機１３にて購入する際、氏名、生年月日等の必要な情報をカード発行処理機１３のカード発行入力部１５から入力する。
【００３３】
そして、カード発行処理部１４は、入力されたデータや投入された金銭を基に演算処理し、個人情報記憶領域３１、券種データ記憶領域３２、有価価値情報記憶領域３３等の種々のデータが非接触ＩＣカード３０に書き込まれる。同時に、入力された情報は、顧客管理データベース１７に送られ顧客情報として蓄積される。  
【００３４】
以下、カード発行機１３によって、非接触ＩＣカード３０に書き込まれるデータ処理を図３に基づいて説明する。
まず、個人情報記憶領域３１の個人ＩＤデータ３４には、顧客管理データベース１７に基づいて新たに更新されたＩＤ番号が付与されデータとして書き込まれる。
【００３５】
個人情報記憶領域３１の敬老開始日データ３５や大人開始日データ３８には、入力された生年月日を基に大人開始日や敬老開始日が演算され、大人開始日や敬老開始日がデータとして書き込まれる。
【００３６】
次に、券種データ記憶領域３２には、小児カードか、通常カードか、敬老カードかを、入力された生年月日に基づいて判別し、発行された非接触ＩＣカード３０のカード種別となる券種データ３６がデータとして書き込まれる。
【００３７】
有価価値情報記憶領域３３には、乗客がカード発行機１３に投入した金額又は付加価値として投入した金額以上の価値に相当する有価価値が、有価価値データ３７として書き込まれる。
【００３８】
（運行時における運賃処理）
次に、運行時の運賃処理について、図４乃至図６のフローチャートに基づいて説明する。
【００３９】
乗客が乗車する際には、乗車した乗車地を運行処理装置１０へ記憶させるため、非接触ＩＣカード（磁気カード等）３０を乗車側カード処理装置２にあるカードリーダライタ１１ａにかざす。非接触ＩＣカード３０が、カードリーダライタ１１ａにかざさられると、運行処理装置１０は、個人ＩＤデータ３４を非接触ＩＣカード３０から読み込み乗車地のデータと共に、降車側処理部５にある記憶部６へ記憶させる。
【００４０】
乗客が乗車時に運賃を精算する際の運賃算出処理を、図４に示すフローチャートに基づいて説明する。乗客は、降車時に非接触ＩＣカード３０にて運賃を支払うべく、降車側カード処理装置３のカードリーダライタ１１ｂに非接触ＩＣカード３０をかざす。
【００４１】
降車側カード処理装置３は、カードリーダライタ１１ｂから読み込んだ非接触ＩＣカード３０の券種データ記憶領域３２から得られた券種データ３６を基に、小児カードであるか否かを判断する（Ｓ１）。そして、小児カードであると判断した場合には（Ｓ１のＹＥＳ）、後述する大人開始日確認処理に移行する（Ｓ２０）。
【００４２】
大人開始日確認処理（Ｓ２０）では、図６に示すように大人開始日を超えていた場合には、券種データ３６が通常カードに書き換えられる可能性があるため（Ｓ２３）、再度通常カードであるか否かを判断する（Ｓ３）。そして、通常カードであると判断された場合には（Ｓ３のＹＥＳ）、通常運賃すなわち大人運賃として乗車地と降車地のデータを基に運賃を算出し大人運賃を非接触ＩＣカード３０の有価価値記憶情報領域３３に記憶されている有価価値データ３７から減算し有価価値データ３７の書き換えを行う（Ｓ８）。
【００４３】
また、小児カードであると判断された場合には（Ｓ３のＮＯ）、小児運賃として乗車地と降車地のデータを基に運賃を算出して小児運賃を非接触ＩＣカード３０の有価価値記憶情報領域３３に記憶されている有価価値データ３７から減算し有価価値データ３７の書き換えを行う（Ｓ９）。
【００４４】
一方、その他の券種のカードであると判断した場合には（Ｓ１のＮＯ）、後述する敬老開始日確認処理に移行する（Ｓ１０）。
敬老開始日確認処理（Ｓ１０）にて、図５に示すように敬老開始日を超えていた場合には、券種データ３６が敬老カードに書き換えられる可能性があるため（Ｓ１３）、再び敬老カードであるか否かを判断する（Ｓ５）。
【００４５】
そして、通常カードであると判断された場合には（Ｓ５のＮＯ）、通常運賃すなわち大人運賃として乗車地と降車地のデータを基に運賃を算出して大人運賃を非接触ＩＣカード３０の有価価値記憶情報領域３３に記憶されている有価価値データ３７から減算し有価価値データ３７の書き換えを行う（Ｓ８）。
【００４６】
また、敬老カードであると判断された場合には（Ｓ５のＹＥＳ）、敬老運賃として乗車地と降車地のデータを基に運賃を算出して敬老運賃を非接触ＩＣカード３０の有価価値記憶情報領域３３に記憶されている有価価値データ３７から減算し有価価値データ３７の書き換えを行う（Ｓ７）。
【００４７】
次に、降車側カード処理装置３が行う敬老開始日確認処理（Ｓ１０）を図５に基づいて説明する。
降車側カード処理装置３は、非接触ＩＣカード３０に記憶されている個人情報記憶領域３１の敬老開始日データ３５を抽出し、降車側カード処理装置３に内蔵されているカレンダー機能部８の当日の日付と照合する（Ｓ１１）。
【００４８】
そして、敬老開始日データ３５が当日の日付を経過していれば（Ｓ１２のＹＥＳ）、非接触ＩＣカード３０に記憶されている券種データ記憶領域３１の券種データ３６を敬老カードに書き換え（Ｓ１３）敬老開始日確認処理を終了する。
一方、敬老開始日データ３５が当日の日付を経過してなければ（Ｓ１２のＮＯ）、そのまま処理を終了する。
【００４９】
次に、降車側カード処理装置３が行う大人開始日確認処理（Ｓ２０）を図６に基づいて説明する。
大人開始日確認処理（Ｓ２０）は、非接触ＩＣカード３０に記憶されている個人情報記憶領域３１の大人開始日データ３８を抽出し、降車側カード処理装置３に内蔵されているカレンダー機能部８の日付データと照合する（Ｓ２１）。
【００５０】
そして、大人開始日データ３８がその日付を経過していれば（Ｓ２２のＹＥＳ）、非接触ＩＣカード３０に記憶されている券種データ記憶領域３１の券種データ３６を通常カードに書き換え（Ｓ２３）大人開始日確認処理を終了する。
一方、大人開始日データ３８がその日付を経過していなければ（Ｓ２２のＮＯ）、そのまま処理を終了する。
【００５１】
（本実施形態から把握される効果）  
（１）本実施形態の運賃処理装置１は、非接触ＩＣカード３０に書き込まれた敬老開始日データ３５や大人開始日データ３８から実際の乗車日とを比較し（Ｓ１２、Ｓ２２）、運賃を演算するため、利用時点での年齢に見合った適正な運賃を徴収することができる。
【００５２】
（２）本実施形態の運賃処理装置１は、非接触ＩＣカード３０に記憶された券種データ３６が、利用時の年齢と異る場合には、降車側カード処理装置３が運賃処理時に券種データ３６を自動で判断して書き換えるため、カード発行所まで出向く必要がなく、以降適正な券種の情報として簡単に書き換えることができる。
【００５３】
（他の実施形態への変更例）
以上説明した実施形態を他の実施形態へ変更した例を以下に示す。
・以上の本実施形態では、開始日データ（３５，３８）と券種データ３６の双方により運賃の精算処理を行っているが、開始日データ（３５，３８）と乗車日の比較のみによって判断し、運賃の精算処理を行っても良い。
【００５４】
・以上の本実施形態では、降車時に券種データ３８を書き換える処理（Ｓ１３、Ｓ２３）について説明したが、乗車時に券種を判定して書き換える処理を行っても良く、降車時には運賃処理だけとなるため処理時間が掛からなくて済む。
【００５５】
・以上の本実施形態では、非接触ＩＣカード３０は、非接触式のもので説明したが、磁気カード等であってもよく、読み書きができる記憶媒体であればよい。また、非接触ＩＣカード３０は、プリペイドカード方式（有価価値が減算のみのもの又は有価価値が積み増しできるもの）だけでなく、デビットカードやクレジットカード（ポストペイ方式）であってもよい。
【００５６】
・以上の本実施形態では、非接触ＩＣカード３０の発行時に、大人運賃や敬老運賃の切り替えを示す情報として日付データ（３５，３８）が格納されるが、子供運賃や大人運賃の終了日を示す終了日データを格納するものであってもよい。
【００５７】
・以上の本実施形態では、カード発行時における生年月日等の情報の入力は、利用者又カード発行機１３の管理者が行ってもよい。
【００５８】
（本実施形態の応用例）
以上説明した本実施形態を応用した例として、バスに利用した運行業務管理装置１について説明したが、鉄道やワンマン鉄道等の運賃を支払うシステムにも利用が可能である。
【図面の簡単な説明】
【００５９】
【図１】運行処理装置１０のシステム例を示す図。
【図２】総合管理システム装置２０のシステム例を示す図。
【図３】（ａ）券種データ３６を敬老カードとして非接触ＩＣカード３０に記憶されたデータの一例を示す図。          （ｂ）券種データ３６を小児カードとして非接触ＩＣカード３０に記憶されたデータの一例を示す図。
【図４】運行処理装置１０の運賃処理を示すフローチャート。
【図５】運行処理装置１０の敬老開始日確認処理を示すフローチャート。
【図６】運行処理装置１０の大人開始日確認処理を示すフローチャート。
【符号の説明】
【００６０】
１・・・運賃処理装置、２・・・乗車側カード処理装置、
３・・・降車側カード処理装置、４・・・乗車側処理部、５・・・降車側処理部、
６・・・記憶部、７・・・カレンダー機能部、８・・・メモリカードリッジ、
９・・・液晶モニタ、１０・・・運行処理装置、
１１ａ，１１ｂ・・・カードリーダライタ、１３・・・カード発行機、
１４・・・カード発行処理部、１５・・・カード発行入力部、
１６・・・社内サーバ、１７・・・顧客管理データベース、
１８・・・運賃管理データベース、１９・・・運行管理データベース、
２０・・・総合管理システム装置、
３０・・・非接触ＩＣカード（プリペイドカード）、３１・・・個人情報記憶領域、
３２・・・券種データ記憶領域、３３・・・有価価値記憶領域、３４・・・個人ＩＤ、
３５・・・敬老開始日データ、３６・・・券種データ、３７・・・有価価値データ、
３８・・・大人開始日データ。
【図１】
2006301942.tif 000003
【図２】
2006301942.tif 000004
【図３】
2006301942.tif 000005
【図４】
2006301942.tif 000006
【図５】
2006301942.tif 000007
【図６】
2006301942.tif 000008